(57)【要約】      （修正有）【課題】少なくとも一端が融着外縁に熱融着された熱可塑性樹脂製の帯体を備えてなる包装体を提供する。【解決手段】熱可塑性樹脂製の第１フィルム２１と、内面が第１フィルムに面するよう配置されると共に、第１フィルムの外縁に熱融着された少なくとも一部の外縁である融着外縁を有し、第１フィルムと別体又は一体の熱可塑性樹脂製の第２フィルム３１と、裏面が第２フィルムの外面に面するよう配置され、少なくとも一端が融着外縁に熱融着された熱可塑性樹脂製の帯体４１と、を備えてなる。【選択図】図１
0003169566.tif 000002
【実用新案登録請求の範囲】
【請求項１】
熱可塑性樹脂製の第１フィルムと、
内面が第１フィルムに面するよう配置されると共に、第１フィルムの外縁に熱融着された少なくとも一部の外縁である融着外縁を有し、第１フィルムと別体又は一体の熱可塑性樹脂製の第２フィルムと、
裏面が第２フィルムの外面に面するよう配置され、少なくとも一端が融着外縁に熱融着された熱可塑性樹脂製の帯体と、を備えてなる、包装体。
【請求項２】
融着外縁が、第２フィルムの外面を横断する線分である基準線分の一端に交わる一方融着外縁と、基準線分の他端に交わり一方融着外縁と分断された他方融着外縁と、を含んでなる、請求項１に記載の包装体。
【請求項３】
一方融着外縁と他方融着外縁との間の第１フィルム及び第２フィルムにより筒状物が形成されるものである、請求項２に記載の包装体。
【請求項４】
帯体の一端が一方融着外縁に熱融着されると共に、帯体の他端が他方融着外縁に熱融着されるものである、請求項２又は３に記載の包装体。
【請求項５】
第１フィルムと第２フィルムと帯体とが重合された状態において融着外縁に沿って融解され切断されることにより、第１フィルムと第２フィルムと帯体とが融着外縁に沿って熱融着されたものである、請求項１乃至４のいずれか１に記載の包装体。
【請求項６】
融着外縁が直線に沿って形成されたものである、請求項５に記載の包装体。
【請求項７】
帯体が、熱可塑性樹脂製の帯体本体と、帯体本体の外面に塗着された塗膜と、を含んでなるものである、請求項１乃至６のいずれか１に記載の包装体。
【請求項８】
前記塗膜により、広告及び／又は宣伝が帯体に表示されるものである、請求項７に記載の包装体。
【請求項９】
前記塗膜が機能性物質を含んでなり、
該機能性物質が前記塗膜の表面から周囲に放出されるものである、請求項７又は８に記載の包装体。
【請求項１０】
帯体を水中に潜入させると、前記放出された機能性物質が、該水中において抗菌性を発揮するものである、請求項９に記載の包装体。
【請求項１１】
帯体の融着外縁への熱融着部分の強度に比し帯体の強度が大きいものである、請求項９又は１０に記載の包装体。
【考案の詳細な説明】
【技術分野】
【０００１】
本考案は、包装体に関し、より詳細には、熱可塑性樹脂製の第１フィルムと、第１フィルムと別体又は一体の熱可塑性樹脂製の第２フィルムと、を備えてなる包装体に関する。
【背景技術】
【０００２】
熱可塑性樹脂製の第１フィルムと、第１フィルムと別体又は一体の熱可塑性樹脂製の第２フィルムと、が重合した状態で備えてなる包装体は従来から知られている（例えば、特許文献１参照）。
特許文献１には、表側フィルム１５及び裏側フィルム１６を有する切花用包装体１１が開示されている。ここに特許文献１における表側フィルム１５及び裏側フィルム１６の一方が本考案にいう第１フィルムで、他方が第２フィルムであり、そして特許文献１における切花用包装体１１が本考案にいう包装体である。特許文献１における切花用包装体１１は、「プラスチックフィルムから成り、少なくとも一端部に口１２を有し、該一端部から他端部へ漸次狭まる袋状を成す切花用包装体１１に、ミシン目状の切裂き可能部１４を形成することにより、切花の包装が、切花を切花用包装体１１に一端部の広い口１２から挿入するだけの容易さででき、そして、切花用包装体１１をミシン目状の切裂き可能部１４で切裂くことにより、切花用包装体１１による切花の束縛を解き、もって、切花を傷つけず、且つ容易に手早く取出すことができるようにした」（特許文献１の要約の解決手段）ものである。
【先行技術文献】
【特許文献】
【０００３】
【特許文献１】特開平１１−９１８４６号公報（例えば、要約、段落番号０００１〜０００３、００１３〜００１７、第１図〜第３図等）
【考案の概要】
【考案が解決しようとする課題】
【０００４】
このような特許文献１に開示された切花用包装体１１（包装体）は、表側フィルム１５及び裏側フィルム１６（本考案にいう第１フィルム及び第２フィルム）の外面に帯体を備えるものではなかった。
かかるフィルム外面に沿って設けられた帯体は、包装体が包装する被包装物に応じた広告及び／又は宣伝を表示させたり、包装体が包装する被包装物に応じた機能性物質を含有させておき徐放させる等のように、包装体の使用価値を高めるために種々使用できる。
そこで、本考案では、熱可塑性樹脂製の第１フィルムと、第１フィルムと別体又は一体の熱可塑性樹脂製の第２フィルムと、第２フィルムの外面に面するよう配置された熱可塑性樹脂製の帯体と、を備えてなる包装体を提供することを目的とする。
【課題を解決するための手段】
【０００５】
本考案の包装体（以下、「本包装体」という。）は、熱可塑性樹脂製の第１フィルムと、内面が第１フィルムに面するよう配置されると共に、第１フィルムの外縁に熱融着された少なくとも一部の外縁である融着外縁を有し、第１フィルムと別体又は一体の熱可塑性樹脂製の第２フィルムと、裏面が第２フィルムの外面に面するよう配置され、少なくとも一端が融着外縁に熱融着された熱可塑性樹脂製の帯体と、を備えてなる、包装体である。
【０００６】
本包装体は、熱可塑性樹脂製の第１フィルムと、第１フィルムと別体又は一体の熱可塑性樹脂製の第２フィルムと、裏面が第２フィルムの外面に面するよう配置された熱可塑性樹脂製の帯体と、を備えてなる。
第１フィルムは熱可塑性樹脂製のシート状物により構成されている。
第２フィルムは、熱可塑性樹脂製のシート状物により構成されており、第１フィルムと別体（例えば、特許文献１における帯材１５ａ，１６ａ）又は一体（例えば、一枚のフィルムを折り返すことで、該折り返し部分を境に第１フィルム及び第２フィルムを形成する）のいずれであってもよい。第２フィルムは、内面が第１フィルムに面するよう配置されると共に、第１フィルムの外縁に熱融着された少なくとも一部の外縁である融着外縁を有する。
第１フィルム及び第２フィルムは特許文献１の表側フィルム１５及び裏側フィルム１６のように互いの内面が面するよう重合され、この第１フィルム及び第２フィルムの間に被包装物を挿入し包装することができる。本包装体が包装する被包装物としては何ら制限はないが、例えば、特許文献１の切花用包装体１１の被包装物と同様、切花としてもよい（本包装体は切花用包装体とできる）。
帯体は、熱可塑性樹脂製のシート状物により構成されており、裏面が第２フィルムの外面に面するよう配置され、帯体の両端のうち少なくとも一端（即ち、該両端のうち一方又は両方）が融着外縁に熱融着される。
本包装体の第１フィルム、第２フィルム及び帯体を形成する熱可塑性樹脂としては何ら限定されるものではないが、例えば、ポリエチレンやポリプロピレン等のようなポリアルケン、ポリエチレンテレフタレート等のようなポリエステル等を例示できる。また、熱可塑性樹脂としては、第１フィルム、第２フィルム及び帯体の３つのいずれも異なる樹脂材料製であっても、また２つが同じ樹脂材料製で残りの１つが異なる樹脂材料製であっても、そして３つの全てが同じ樹脂材料製であってもよいが、３つの全てが同じ樹脂材料とすれば熱融着を容易かつ確実に行うことができる。
このように本包装体においては、熱可塑性樹脂製の帯体の少なくとも一端が、第１フィルムの外縁と第２フィルムの外縁とを熱融着した融着外縁に熱融着されるので（第１フィルムの外縁と第２フィルムの外縁とを熱融着する際、帯体の少なくとも一端を同時に熱融着できる。）、熱可塑性樹脂製の第１フィルムと、第１フィルムと別体又は一体の熱可塑性樹脂製の第２フィルムと、第２フィルムの外面に面するよう配置された熱可塑性樹脂製の帯体と、を備えてなる包装体を容易に形成できる。
【０００７】
本包装体においては、融着外縁が、第２フィルムの外面を横断する線分である基準線分の一端に交わる一方融着外縁と、基準線分の他端に交わり一方融着外縁と分断された他方融着外縁と、を含んでなるもの（以下、「一対融着外縁保有本包装体」という。）であってもよい。
基準線分は、第２フィルムの外面（第２フィルムの第１フィルムに面する内面とは反対の面であり、帯体に面する面）を平面に沿わせた際、該外面を横断する仮想上の線分である。
かかる基準線分の一端に交わる一方融着外縁と、基準線分の他端に交わる他方融着外縁と、が互いに分断された状態で融着外縁を形成することで、第１フィルム及び第２フィルムの間に被包装物を挿入する空間を容易に形成し被包装物をうまく包装することができる。
【０００８】
一対融着外縁保有本包装体の場合、一方融着外縁と他方融着外縁との間の第１フィルム及び第２フィルムにより筒状物が形成されるものであってもよい。
基準線分の一端に交わる一方融着外縁と、基準線分の他端に交わり一方融着外縁と分断された他方融着外縁と、を融着外縁が含む一対融着外縁保有本包装体の場合、一方融着外縁と他方融着外縁との間の第１フィルム及び第２フィルムにより筒状物（中空の管状物）が形成されるようにすることができ、そのような筒状物（中空の管状物）が形成されるようにすれば、第１フィルム及び第２フィルムの間に被包装物を挿入し被包装物をうまく包装することができる。
【０００９】
一対融着外縁保有本包装体の場合、帯体の一端が一方融着外縁に熱融着されると共に、帯体の他端が他方融着外縁に熱融着されるものであってもよい。
こうすることで帯体が、第２フィルムの外面を横断する状態で両端が第１フィルムの外縁と第２フィルムの外縁とを熱融着した融着外縁に熱融着されるので（一端が一方融着外縁に熱融着され、他端が他方融着外縁に熱融着される）、本包装体における帯体の使用を便ならしめる。例えば、第２フィルムに対して帯体を所望位置で固定できるので（例えば、第２フィルムに対し帯体が不意に揺動しない）、本包装体の搬送や収納においても帯体が邪魔になることを防止又は減少させたり、帯体に広告及び／又は宣伝を効果的に表示することができる。そして帯体を持ち手として使用してもよい。
【００１０】
本包装体においては、第１フィルムと第２フィルムと帯体とが重合された状態において融着外縁に沿って融解され切断されることにより、第１フィルムと第２フィルムと帯体とが融着外縁に沿って熱融着されたもの（以下、「切断融着本包装体」という。）であってもよい。
切断融着本包装体を構成する第１フィルムとなる部分を含む第１フィルム物と、第２フィルムとなる部分を含む第２フィルム物と、帯体となる部分を含む帯体物と、を重合した状態において、これら第１フィルム物と第２フィルム物と帯体物とを融着外縁に沿って融解し切断すれば、融解切断と同時に第１フィルムと第２フィルムと帯体とを融着外縁に沿って熱融着させることができる（融解切断時に第１フィルム物と第２フィルム物と帯体物とが融着外縁に沿って融解され融合する）。このように融着外縁に沿って融解し切断する工程と同時に第１フィルムと第２フィルムと帯体とを融着外縁に沿って熱融着させて本包装体を容易に構成できる。
【００１１】
切断融着本包装体の場合、融着外縁が直線に沿って形成されたものであってもよい。
こうすることで第１フィルム物と第２フィルム物と帯体物とを融着外縁に沿って融解し切断する切断工程を容易に行うことができ（例えば、高温の切断縁を有する切断刃を用い、切断縁を押しつけて切断工程を行う場合であれば、切断縁を直線に沿って真っ直ぐ形成すればよいので、切断刃を容易かつ安価に形成できる）、本包装体を容易かつ安価に構成できる。また、融着外縁を直線に沿ったものとすることで、第１フィルム物、第２フィルム物及び帯体物の融解切断後の廃棄部分を無くしたり減少させることが容易にでき、本包装体のコストを削減できる。
【００１２】
本包装体においては、帯体が、熱可塑性樹脂製の帯体本体と、帯体本体の外面に塗着された塗膜と、を含んでなるもの（以下、「塗膜保有本包装体」という。）であってもよい。
こうすることで熱可塑性樹脂製の帯体本体が融着外縁に熱融着されることで、帯体の少なくとも一端を融着外縁に熱融着させることができると共に、帯体本体の外面に塗着する塗膜により様々な機能を帯体に付与することができる。即ち、帯体を融着外縁に熱融着させるための帯体本体とは別個に、帯体本体の外面に形成する塗膜を自由に選択することができ、選択する塗膜に応じて帯体に機能を発揮させることができる。
【００１３】
塗膜保有本包装体の場合、前記塗膜により、広告及び／又は宣伝が帯体に表示されるものであってもよい。
帯体本体の外面に形成する塗膜によって帯体が発揮する機能としては、本包装体の使用目的や被包装物等に応じて適宜選択されてよく何ら限定されるものではないが、塗膜によって、文字、図形、記号及び模様等を帯体の表面に表すことができるので、塗膜により広告及び／又は宣伝（例えば、被包装物に関する広告及び／又は宣伝）を帯体に表示することができる。
【００１４】
塗膜保有本包装体の場合、前記塗膜が機能性物質を含んでなり、該機能性物質が前記塗膜の表面から周囲に放出されるもの（以下、「機能性物質保有本包装体」という。）であってもよい。
塗膜に機能性物質を含有させるには、様々な方法を用いることができるが、例えば、機能性物質を添加した塗料を帯体本体の外面に塗着（印刷工程とすることもできる）するようにしてもよい。機能性物質としては、それを含む塗膜の表面から周囲に放出されることで、所望の機能を発揮することができるものであれば何ら制限されるものではないが、例えば、抗菌剤、消臭剤、防臭剤、芳香剤等を例示できる。そして、機能性物質を添加する塗料としては、帯体本体への塗着作業を支障なく行うことができる程度に機能性物質を溶解又は分散させることができると共に、帯体本体に塗着された際に安定して保持されるものを適宜選択することができる。
【００１５】
機能性物質保有本包装体の場合、帯体を水中に潜入させると、前記放出された機能性物質が、該水中において抗菌性を発揮するものであってもよい。
抗菌剤を機能性物質として用い、抗菌剤を塗膜に含有させることで、帯体を水中に潜入させると抗菌剤が塗膜の表面から周囲の水中に放出され、水中において抗菌性を発揮させることができる。抗菌剤の種類としては、対象とする菌の種類や本包装体の使用目的に応じて適宜選択されてよく何ら限定されるものではないが、例えば、天然系抗菌剤（例えば、テルペノイドやヒノキチオール等のような植物の精油に含まれる成分）及び合成系抗菌剤等のような有機系抗菌剤や、金属イオン（例えば、銀イオン）を含む無機系抗菌剤等を例示できる。
かかる水中に潜入させた帯体から抗菌剤（機能性物質）が放出され、該水中において抗菌性を発揮する本包装体は様々な用途に用いることができるが、例えば、被包装物を切花とすれば（本包装体を切花用包装体とする）、該切り花を生ける際に該切り花の基端部分（茎の切り端部分）を潜入させる水中に帯体を潜入させれば、該水中における雑菌の繁殖を防止又は抑制し、該切り花の状態を長期にわたってよい状態で持続できる。
【００１６】
機能性物質保有本包装体の場合、帯体の融着外縁への熱融着部分の強度に比し帯体の強度が大きいものであってもよい。
こうすることで機能性物質を含む塗膜を有する帯体が、該機能性物質に応じた機能を発揮することから、帯体が発揮する機能によっては帯体を第１フィルム及び第２フィルムと切り離して機能を発揮させる方が好ましいことがある。例えば、前述の被包装物を切花とする例（本包装体を切花用包装体とする）では、該切り花を生ける際の水中に帯体を潜入させるには、第１フィルム及び第２フィルムと切り離した状態の方が水中に潜入させやすい。
このように帯体を第１フィルム及び第２フィルムと容易に切り離すことができるようにするには、帯体自体の強度（引っ張ったときに帯体が分断する強度）よりも、帯体の融着外縁への熱融着部分（帯体を引っ張ったときに帯体が融着外縁から分断される強度）の強度を小さくしておけば、帯体の融着外縁への熱融着部分を引き裂いて帯体を両フィルムから容易に分離することができる。これにより例えば、本包装体に包装された切り花を生ける際に、両フィルムから帯体を分離し、切り花を生ける水中に分離した帯体を容易に投入できる。
【図面の簡単な説明】
【００１７】
【図１】一実施形態の本考案の包装体（本包装体）を示す正面図である。
【図２】図１のＣ−Ｃ断面図である。
【図３】図１のＤ−Ｄ端面図である。
【図４】帯体の断面図である。
【図５】本包装体を製造するためのフィルム重合物を示す正面図である。
【図６】図５に示すフィルム重合物の断面図である。
【図７】フィルム重合物の切断工程を模式的に示した図である。
【考案を実施するための形態】
【００１８】
本考案の実施の形態を図面を参照して詳述するが、本考案はこれに限定されるものではない。
【００１９】
図１は一実施形態の本考案の包装体（本包装体）１１を示す正面図であり、図２は図１のＣ−Ｃ断面図であり、図３は図１のＤ−Ｄ端面図であり、そして図４は後述の帯体４１の断面図（図１中のＥ−Ｅ断面における帯体４１の拡大断面図）である。図１乃至図４を参照して、本包装体１１について説明する。
本包装体１１は、大まかには、第１フィルム２１と、第１フィルム２１に内面３３が面するように重合された第２フィルム３１と、第２フィルム３１の外面３５に裏面４３が面するよう配置された帯体４１と、を備えてなる。なお、図２及び図３においては、図示及び理解を容易にするため、第１フィルム２１と第２フィルム３１との間と、第２フィルム３１と帯体４１との間と、を拡大して示している。
【００２０】
第１フィルム２１は、ここでは０．０１ｍｍ〜０．２ｍｍ程度の厚みを有するポリプロピレンによって形成された柔軟な透明のフィルムにより構成されている。第１フィルム２１は、一対の主表面２２ａ、２２ｂを有しており、両主表面２２ａ、２２ｂいずれも同じ形状を有している。具体的には、両主表面２２ａ、２２ｂいずれも、一対の底２２ｃ１、２２ｃ２と一対の脚２２ｄ１、２２ｄ２とを４辺とする等脚台形を略なしている。
【００２１】
第２フィルム３１は、ここでは０．０１ｍｍ〜０．２ｍｍ程度の厚みを有するポリプロピレン（第１フィルム２１と同じ材質及び厚み）によって形成された柔軟な透明のフィルムにより構成されている。第２フィルム３１は、一対の主表面３３、３５を有しており、両主表面３３、３５いずれも同じ形状を有している。具体的には、両主表面３３、３５いずれも、一対の底３２ｃ１、３２ｃ２と一対の脚３２ｄ１、３２ｄ２とを４辺とする等脚台形を略なしている。
そして、脚３２ｄ１、３２ｄ２は、それぞれ脚２２ｄ１、２２ｄ２に沿っており（図１のように、第２フィルム３１の外面３５が平面に沿っている際、外面３５に対して垂直方向から見ると、脚３２ｄ１、３２ｄ２は、それぞれ脚２２ｄ１、２２ｄ２の一部に一致している）、両主表面２２ａ、２２ｂがなす等脚台形の高さよりも両主表面３３、３５がなす等脚台形の高さの方が小さくされている。
また、脚３２ｄ１、３２ｄ２と脚２２ｄ１、２２ｄ２の一部とは脚３２ｄ１、３２ｄ２に沿って連続して熱融着されている。
【００２２】
帯体４１は、ここでは０．０１ｍｍ〜０．２ｍｍ程度の厚みを有するポリプロピレン（第１フィルム２１と同じ材質及び厚み）によって形成された柔軟な透明のフィルムにより構成されている。帯体４１は、一対の主表面４３、４５を有しており、両主表面４３、４５いずれも同じ形状を有している。具体的には、両主表面４３、４５いずれも、一対の底４２ｃ１、４２ｃ２と一対の脚４２ｄ１、４２ｄ２とを４辺とする等脚台形を略なしている（該等脚台形の高さ（一対の底４２ｃ１、４２ｃ２の間の距離）が小さいので、帯体４１は短冊形状を略なしている。）。なお、底２２ｃ１、底２２ｃ２、底３２ｃ１、底３２ｃ２、底４２ｃ１、底４２ｃ２は、互いに略平行になっている。
図４に示すように、帯体４１は、ポリプロピレン（第１フィルム２１と同じ材質）製の帯体本体４６と、帯体本体４６の外面に塗着された塗膜４８と、を含んでなる。塗膜４８は、帯体本体４６にグラビア印刷方法により抗菌性グラビアインキ（ここでは株式会社シナネンゼオミック社製の商品名「ゼオミックＡＷ１０Ｎ」を用いた。）を塗着することで形成されたものである。また、ここでは図示していないが、帯体４１の主表面４５には、「この帯には抗菌作用をほどこしています。花を花瓶に入れる時、この帯を切って一緒に入れて下さい。」との文言が記載されている。
そして、脚４２ｄ１、４２ｄ２は、それぞれ脚３２ｄ１、３２ｄ２に沿っており（図１のように、第２フィルム３１の外面３５及び帯体４１の主表面４５が平面に沿っている際、外面３５及び主表面４５に対して垂直方向から見ると、脚４２ｄ１、４２ｄ２は、それぞれ脚３２ｄ１、３２ｄ２の一部に一致している）、脚４２ｄ１、４２ｄ２と脚３２ｄ１、３２ｄ２の一部とは脚４２ｄ１、４２ｄ２に沿って連続して熱融着されている。
【００２３】
このような本包装体１１は、切り花（被包装物）を包装するためのもの（切花用包装体）であり、図示しない切り花を第１フィルム２１の主表面２２ａと第２フィルム３１の主表面３３との間に収容し包装することができる（切り花の茎の基端（切断された端）を先頭に底３２ｃ１と主表面２２ａとの間から切り花を挿入し、該基端を底３２ｃ２と主表面２２ａとの間から突出させると共に、切り花の花の部分を第１フィルム２１の主表面２２ａと第２フィルム３１の主表面３３との間に収容する。）。
そして、本包装体１１により包装された切り花を生ける際、切り花を生ける者（例えば、切り花の購入者）が切り花を花瓶等に入れるのと一緒に、帯体４１を第１フィルム２１及び第２フィルム３１から分離（引きちぎる）して、該分離した帯体４１を花瓶等の水中に投入する。花瓶等の水中に投入された帯体４１は、塗膜４８に含まれる抗菌性物質を該水中に放出（除放）することで、該水中における雑菌の繁殖を防止又は抑制し、切り花を長持ちさせる。
【００２４】
次いで、本包装体１１の製造方法を説明する。
第一に、フィルム重合物５１を形成する。図５は、本包装体１１を製造するためのフィルム重合物５１を示す正面図であり、図６は、図５に示すフィルム重合物５１の断面図（詳細には、図６（ａ）は図５のＡ−Ａ断面図であり、図６（ｂ）は図５のＢ−Ｂ断面図である。）である。なお、図示及び理解を容易にするため、図６においては、後述の第１フィルム物５２と第２フィルム物５３と帯体物５４との間に拡大した隙間をとって図示しているが、現実のフィルム重合物５１においてはこの隙間はより狭いか又は存しない（互いに密接する）。
図５及び図６を参照して、フィルム重合物５１について説明する。フィルム重合物５１は、第１フィルム２１を構成するための第１フィルム物５２と、第１フィルム物５２の主表面５２ａに面するように第１フィルム物５２に重合され第２フィルム３１を構成するための第２フィルム物５３と、第２フィルム物５３の主表面５３ａに面するように第２フィルム物５３に重合され帯体４１を構成するための帯体物５４と、を含んでなる。なお、ここでは第１フィルム物５２と第２フィルム物５３とが別体であるが、一体のフィルム物をその主表面を横断する線分に沿って折り返し該線分によって該フィルム物が分割された一方側の部分を第１フィルム物とし他方側の部分を第２フィルム物としてもよい。
第１フィルム物５２は両主表面５２ａ、５２ｂがいずれも同じ形状をなすフィルムの帯状物（無論、材質及び厚みは第１フィルム２１と同じ）により形成されており、該帯状物は、互いに略平行な一対の長縁５２ｃ１、５２ｃ２（直線に沿った真っ直ぐな縁）が長手方向Ｌに平行になっている。
第２フィルム物５３は両主表面５３ａ、５３ｂがいずれも同じ形状をなすフィルムの帯状物（無論、材質及び厚みは第２フィルム３１と同じ）により形成されており、該帯状物は、互いに略平行な一対の長縁５３ｃ１、５３ｃ２（直線に沿った真っ直ぐな縁）が長手方向Ｌに平行になっている。
帯体物５４は両主表面５４ａ、５４ｂがいずれも同じ形状をなす帯状物（無論、材質及び厚みは帯体４１と同じ）により形成されており、該帯状物は、互いに略平行な一対の長縁５４ｃ１、５４ｃ２（直線に沿った真っ直ぐな縁）が長手方向Ｌに平行になっている。なお、帯体物５４が形成する帯体４１は、前述の如く、ポリプロピレン製の帯体本体４６と、帯体本体４６の外面に塗着された塗膜４８と、を含んでなり、塗膜４８は、帯体本体４６に抗菌性グラビアインキをグラビア印刷方法により塗着することで形成されるものであるので、これに合わせて帯体物５４も、ポリプロピレン製の帯体物本体に抗菌性グラビアインキをグラビア印刷方法により塗着し塗膜を予め形成たものを用いる。
これらフィルム重合物５１を構成する第１フィルム物５２、第２フィルム物５３及び帯体物５４は、後述の如く、フィルム重合物５１が切断されることで第１フィルム２１、第２フィルム３１及び帯体４１を構成するよう配置されている。
【００２５】
第二に、フィルム重合物５１を切断し、本包装体１１を形成する。
図７は、フィルム重合物５１の切断工程を模式的に示した図である。図７を参照して、フィルム重合物５１の切断工程について説明する。図５及び図６を参照しつつ説明したフィルム重合物５１を、図７（ａ）に示すように長手方向Ｌに対して所定の角度をなす切断線６１ａ、６１ｂに沿って長手方向の一端側（図７（ａ）では右側）から他端側（図７（ａ）では左側）に向かって順次切断してゆく。切断線６１ａ、６１ｂはいずれも直線に沿っておりフィルム重合物５１は真っ直ぐ切断される。切断線６１ａ同士は互いに平行かつ等間隔であり、切断線６１ｂ同士は互いに平行かつ等間隔（切断線６１ａ同士の間隔に同じ）である。ここでは互いに隣接する切断線６１ａ、６１ｂは等脚台形の一対の脚をなしている。かかる切断線６１ａ、６１ｂに沿った高温の切断縁（不図示）を有する切断刃（不図示）を用い、該切断縁をフィルム重合物５１に押しつけることでフィルム重合物５１を構成する第１フィルム物５２、第２フィルム物５３及び帯体物５４を融解させフィルム重合物５１を切断する。この第１フィルム物５２と第２フィルム物５３と帯体物５４とを切断線６１ａ、６１ｂに沿って融解し切断する際、第１フィルム物５２、第２フィルム物５３及び帯体物５４の融解部分が互いに熱融着する（融解切断時に第１フィルム物５２と第２フィルム物５３と帯体物５４とが切断線６１ａ、６１ｂに沿って融解され融合する）。このように切断線６１ａ、６１ｂに沿ってフィルム重合物５１を融解し切断するのと同時に切断線６１ａ、６１ｂに沿って熱融着させることで複数の本包装体１１を容易に形成できる（図７（ｂ））。切断線６１ａによる切断で本包装体１１の脚２２ｄ２、脚３２ｄ２、脚４２ｄ２が互いに熱融着された状態で形成されると共に、切断線６１ｂによる切断で本包装体１１の脚２２ｄ１、脚３２ｄ１、脚４２ｄ１が互いに熱融着された状態で形成される（それと同時に、長縁５２ｃ１、５２ｃ２が分断され底２２ｃ１、２２ｃ２が形成され、長縁５３ｃ１、５３ｃ２が分断され底３２ｃ１、３２ｃ２が形成され、そして長縁５４ｃ１、５４ｃ２が分断され底４２ｃ１、４２ｃ２が形成される。）。また、図７に示すように、切断線６１ａ、６１ｂを直線に沿ったものとすることで、フィルム重合物５１の融解切断後の廃棄部分を生じることがないので、本包装体１１の製造コストを削減できる。
【００２６】
以上のように説明した本包装体１１は、熱可塑性樹脂（ここではポリプロピレン）製の第１フィルム２１と、内面３３が第１フィルム２１に面するよう配置されると共に、第１フィルム２１の外縁（底２２ｃ１、２２ｃ２と脚２２ｄ１、２２ｄ２）に熱融着された少なくとも一部の外縁である融着外縁（ここでは脚３２ｄ１、３２ｄ２）を有し、第１フィルム２１と別体又は一体（ここでは別体）の熱可塑性樹脂（ここではポリプロピレン）製の第２フィルム３１と、裏面４３が第２フィルム３１の外面３５に面するよう配置され、少なくとも一端（ここでは両端である脚４２ｄ１、４２ｄ２）が融着外縁（ここでは脚３２ｄ１、３２ｄ２）に熱融着された熱可塑性樹脂（ここではポリプロピレン）製の帯体４１と、を備えてなる、包装体である。
【００２７】
本包装体１１においては、融着外縁（ここでは脚３２ｄ１、３２ｄ２）が、第２フィルム３１の外面３５を横断する線分である基準線分（図１中、点線Ｙにて示す）の一端に交わる一方融着外縁（ここでは脚３２ｄ１）と、基準線分Ｙの他端に交わり一方融着外縁（ここでは脚３２ｄ１）と分断された他方融着外縁（ここでは脚３２ｄ２）と、を含んでなる。
本包装体１１においては、一方融着外縁（ここでは脚３２ｄ１）と他方融着外縁（ここでは脚３２ｄ２）との間の第１フィルム２１及び第２フィルム３１により筒状物（内部空間を押し広げれば、ここでは両端が開放された円錐台形状）が形成されるものである。
本包装体１１においては、帯体４１の一端（脚４２ｄ１）が一方融着外縁（脚３２ｄ１）に熱融着されると共に、帯体４１の他端（脚４２ｄ２）が他方融着外縁（脚３２ｄ２）に熱融着されるものである。
本包装体１１においては、第１フィルム２１と第２フィルム３１と帯体４１とが重合された状態（フィルム重合物５１）において融着外縁（脚３２ｄ１、３２ｄ２）に沿って融解され切断されることにより（切断線６１ａ、６１ｂ）、第１フィルム２１と第２フィルム３１と帯体４１とが融着外縁（脚３２ｄ１、３２ｄ２）に沿って熱融着されたものである。
本包装体１１においては、融着外縁（脚３２ｄ１、３２ｄ２）が直線に沿って形成されたものである。
【００２８】
本包装体１１においては、帯体４１が、熱可塑性樹脂（ここではポリプロピレン）製の帯体本体４６と、帯体本体４６の外面に塗着された塗膜４８と、を含んでなるものである。そして、ここではそうしていないが、塗膜４８により、広告及び／又は宣伝が帯体４１に表示されるようにしてもよい。
本包装体１１においては、前記塗膜４８が機能性物質（ここでは塗膜４８を形成するための抗菌性グラビアインキに含まれる抗菌性物質）を含んでなり、該機能性物質（抗菌性物質）が前記塗膜４８の表面（ここでは帯体４１の主表面４５）から周囲に放出されるものである。
本包装体１１においては、帯体４１を水中に潜入させると、前記放出された機能性物質（抗菌性物質）が、該水中において抗菌性を発揮するものである。
本包装体１１においては、帯体４１の融着外縁（脚３２ｄ１、３２ｄ２）への熱融着部分の強度に比し帯体４１の強度が大きいものである。
【符号の説明】
【００２９】
１１                本包装体
２１                第１フィルム
２２ａ、２２ｂ      主表面
２２ｃ１、２２ｃ２  底
２２ｄ１、２２ｄ２  脚
３１                第２フィルム
３２ｃ１、３２ｃ２  底
３２ｄ１、３２ｄ２  脚
３３、３５          主表面
３５                外面
４１                帯体
４２ｃ１、４２ｃ２  底
４２ｄ１、４２ｄ２  脚
４３、４５          主表面
４６                帯体本体
４８                塗膜
５１                フィルム重合物
５２                第１フィルム物
５２ａ、５２ｂ      主表面
５２ｃ１、５２ｃ２  長縁
５３                第２フィルム物
５３ａ、５３ｂ      主表面
５３ｃ１、５３ｃ２  長縁
５４                帯体物
５４ａ、５４ｂ      主表面
５４ｃ１、５４ｃ２  長縁
６１ａ、６１ｂ      切断線
【図１】
0003169566.tif 000003
【図２】
0003169566.tif 000004
【図３】
0003169566.tif 000005
【図４】
0003169566.tif 000006
【図５】
0003169566.tif 000007
【図６】
0003169566.tif 000008
【図７】
0003169566.tif 000009